(57)【要約】【課題】落下や衝突などに強く、外部からの衝撃に対する耐衝撃性に優れ、とくに印字発行機能に支障が発生しないようにするとともに、軽量小型な携帯式プリンターを提供すること。【解決手段】プリンターの主要機能である印字機能を発揮する印字部４をプリンターハウジング２における他の部分より凹ませて、落下や衝突時に、とくに印字部４に外力が直接及ばないようにすることに着目したもので、プリンターハウジング２と、プリンターハウジング２に装填される印字用紙に印字可能な印字部４と、を有する携帯式プリンターであって、印字部４を配置したプリンターハウジング２の印字部配置領域面２７に隣り合わせてクッション材２８を配置することにより、少なくとも印字部配置領域面２７をクッション材２８から相対的に凹ませることを特徴とする。【選択図】図１
2014188704.tif 000002
【特許請求の範囲】
【請求項１】
プリンターハウジングと、
このプリンターハウジングに装填される印字用紙に印字可能な印字部と、を有する携帯式プリンターであって、
前記印字部を配置した前記プリンターハウジングの印字部配置領域面に隣り合わせてクッション材を配置することにより、少なくともこの印字部配置領域面をこのクッション材から相対的に凹ませることを特徴とする携帯式プリンター。
【請求項２】
前記印字部配置領域面は、これに隣接する印字部隣接領域面からこれを相対的に凹ませるとともに、
この印字部隣接領域面に前記クッション材を配置していることを特徴とする請求項１記載の携帯式プリンター。
【請求項３】
前記印字部を作動させるための入力部および表示部を配置した前記プリンターハウジングの入力部表示部配置領域面に隣り合わせて前記クッション材を配置することにより、この入力部表示部配置領域面を前記クッション材から相対的に凹ませることを特徴とする請求項１または２記載の携帯式プリンター。
【請求項４】
前記入力部表示部配置領域面は、これに隣接する入力部表示部隣接領域面からこれを相対的に凹ませるとともに、
この入力部表示部隣接領域面に前記クッション材を配置していることを特徴とする請求項３記載の携帯式プリンター。
【請求項５】
前記印字部配置領域面に隣り合わせている前記クッション材は、前記印字部配置領域面との間の境界部から上方空間方向に延びる印字部衝撃吸収突出部を有するとともに、
前記入力部表示部配置領域面に隣り合わせている前記クッション材は、前記入力部表示部配置領域面との間の境界部から上方空間方向に延びる入力部表示部衝撃吸収突出部を有することを特徴とする請求項３または４記載の携帯式プリンター。
【請求項６】
前記プリンターハウジングは、ほぼ直方体形状を呈しており、
前記プリンターハウジングの少なくともひとつの稜縁部に前記クッション材を配置していることを特徴とする請求項１ないし５のいずれかに記載の携帯式プリンター。
【請求項７】
前記プリンターハウジングには、前記プリンターハウジングに対して開閉可能に開閉カバーを設けて前記印字用紙を前記プリンターハウジング内に装填可能とし、
この開閉カバーに隣り合わせて前記クッション材を配置することにより、この開閉カバーを前記クッション材から相対的に凹ませることを特徴とする請求項１ないし６のいずれかに記載の携帯式プリンター。
【請求項８】
前記プリンターハウジングには、前記プリンターハウジングに対して開閉可能に開閉カバーを設けて前記印字用紙を前記プリンターハウジング内に装填可能とし、
この開閉カバーは、これに隣接するカバー隣接領域面からこれを相対的に凹ませるとともに、
このカバー隣接領域面に前記クッション材を配置していることを特徴とする請求項１ないし７のいずれかに記載の携帯式プリンター。
【請求項９】
前記開閉カバーは、前記印字部配置領域面よりこれを相対的に凹ませていることを特徴とする請求項７または８記載の携帯式プリンター。
【請求項１０】
前記クッション材は、これをエラストマーから構成していることを特徴とする請求項１ないし９のいずれかに記載の携帯式プリンター。
【発明の詳細な説明】
【技術分野】
【０００１】
本発明は携帯式プリンターにかかるもので、とくに落下や衝突などがあっても内部構造に影響が極力及ばないようにして耐衝撃性に優れた携帯式プリンターに関するものである。
【背景技術】
【０００２】
従来から、携帯して、各種印字用紙への印字を行うための携帯式プリンターは、落下や衝突などの衝撃により、とくに印字ヘッドを含む印字部その他の部品が破損あるいは故障してプリンターとしての印字発行機能が損なわれる可能性があるという問題があり、耐衝撃性を改良した携帯式プリンターの構造が要請されている。
【０００３】
なお、携帯して使用する携帯式プリンターとしては、耐衝撃性に加えて軽量小型であることも必要であり、耐衝撃性を確保しつつ軽量小型である構造が要請されているという問題がある。
【先行技術文献】
【特許文献】
【０００４】
【特許文献１】特開平８−３００７５２号公報
【発明の概要】
【発明が解決しようとする課題】
【０００５】
本発明は以上のような諸問題にかんがみなされたもので、落下や衝突などに強く、内部の部品が損傷することを防止可能とした携帯式プリンターを提供することを課題とする。
【０００６】
また本発明は、外部からの衝撃に耐性を有する携帯式プリンターを提供することを課題とする。
【０００７】
また本発明は、外部からの衝撃に対して、とくに印字発行機能に支障が発生しないようにした携帯式プリンターを提供することを課題とする。
【０００８】
また本発明は、軽量小型であって、かつ耐衝撃性にも優れた携帯式プリンターを提供することを課題とする。
【課題を解決するための手段】
【０００９】
すなわち本発明は、プリンターの主要機能である印字機能を発揮する印字部をプリンターハウジングにおける他の部分より凹ませて、落下や衝突時に、とくに印字部に外力が直接及ばないようにすることに着目したもので、プリンターハウジングと、このプリンターハウジングに装填される印字用紙に印字可能な印字部と、を有する携帯式プリンターであって、上記印字部を配置した上記プリンターハウジングの印字部配置領域面に隣り合わせてクッション材を配置することにより、少なくともこの印字部配置領域面をこのクッション材から相対的に凹ませることを特徴とする携帯式プリンターである。
【００１０】
上記印字部配置領域面は、これに隣接する印字部隣接領域面からこれを相対的に凹ませるとともに、この印字部隣接領域面に上記クッション材を配置していることができる。
【００１１】
上記印字部を作動させるための入力部および表示部を配置した上記プリンターハウジングの入力部表示部配置領域面に隣り合わせて上記クッション材を配置することにより、この入力部表示部配置領域面を上記クッション材から相対的に凹ませることができる。
【００１２】
上記入力部表示部配置領域面は、これに隣接する入力部表示部隣接領域面からこれを相対的に凹ませるとともに、この入力部表示部隣接領域面に上記クッション材を配置していることができる。
【００１３】
上記印字部配置領域面に隣り合わせている上記クッション材は、上記印字部配置領域面との間の境界部から上方空間方向に延びる印字部衝撃吸収突出部を有するとともに、上記入力部表示部配置領域面に隣り合わせている上記クッション材は、上記入力部表示部配置領域面との間の境界部から上方空間方向に延びる入力部表示部衝撃吸収突出部を有することができる。
【００１４】
上記プリンターハウジングは、ほぼ直方体形状を呈しており、上記プリンターハウジングの少なくともひとつの稜縁部に上記クッション材を配置していることができる。
【００１５】
上記プリンターハウジングには、上記プリンターハウジングに対して開閉可能に開閉カバーを設けて上記印字用紙を上記プリンターハウジング内に装填可能とし、この開閉カバーに隣り合わせて上記クッション材を配置することにより、この開閉カバーを上記クッション材から相対的に凹ませることができる。
【００１６】
上記プリンターハウジングには、上記プリンターハウジングに対して開閉可能に開閉カバーを設けて上記印字用紙を上記プリンターハウジング内に装填可能とし、この開閉カバーは、これに隣接するカバー隣接領域面からこれを相対的に凹ませるとともに、このカバー隣接領域面に上記クッション材を配置していることができる。
【００１７】
上記開閉カバーは、上記印字部配置領域面よりこれを相対的に凹ませていることができる。
【００１８】
上記クッション材は、これをエラストマーから構成していることができる。
【発明の効果】
【００１９】
本発明による携帯式プリンターにおいては、プリンターの主要部分である印字部を配置した印字部配置領域面に隣り合わせてクッション材を配置することにより、少なくとも印字部配置領域面をクッション材から相対的に凹ませるようにしたので、落下や衝突時に、とくに印字部に外力が直接及ばないようにすることができ、少なくともプリンターとしての主要機能を保持することができる。
【図面の簡単な説明】
【００２０】
【図１】本発明の実施例による携帯式プリンター１の斜視図である。
【図２】同、携帯式プリンター１の分解斜視図である。
【図３】同、携帯式プリンター１の開閉カバー３をプリンターハウジング２に対して開放した状態の平面図である。
【図４】同、携帯式プリンター１の開閉カバー３をプリンターハウジング２に対して開放した状態の斜視図である。
【図５】同、携帯式プリンター１を上方部から見たその平面図である。
【図６】同、携帯式プリンター１の側面図である。
【図７】同、携帯式プリンター１の背面図である。
【図８】同、携帯式プリンター１を下方部から見たその底面図である。
【発明を実施するための形態】
【００２１】
本発明は、印字部を配置した印字部配置領域面に隣り合わせてクッション材を配置したので、落下や衝突時の衝撃をクッション材が吸収可能とし、とくに印字部に外力が直接及ばないようにして、部品の損傷破損を防止可能な耐衝撃性に優れた携帯式プリンターを実現した。
【実施例】
【００２２】
つぎに本発明の実施例による携帯式プリンター１を図１ないし図８にもとづき説明する。
図１は、携帯式プリンター１の斜視図、図２は、携帯式プリンター１の分解斜視図であって、携帯式プリンター１は、サーマルプリンターとしてこれを構成してあり、プリンターハウジング２（第１のハウジング２Ａ、第２のハウジング２Ｂ）と、開閉カバー３と、印字部４を備えた印字ユニット５（図２）と、プラテンローラー６と、充電バッテリー７と、ラベル連続体８（印字用紙、図２、図３）の供給部９と、入力部１０と、表示部１１と、電源スイッチ１２と、開放用押しボタン１３と、制御基板１４と、を有する。
【００２３】
プリンターハウジング２は、第１のハウジング２Ａおよび第２のハウジング２Ｂを組み合わせており、作業者が携帯可能な大きさを有し、図１中、上方にベルト掛け部１５を設けて、肩掛けベルト（図示せず）により携帯式プリンター１全体を作業者の肩から吊り下げ可能としている。もちろん、作業者の腰に装着可能とする構成とすることもできる。
さらにプリンターハウジング２には、図２中、下方隅部に位置したカバー軸１６のまわりに開閉カバー３を開閉可能に設けて、供給部９へのラベル連続体４の収納および携帯式プリンター１への装填を可能としている。
【００２４】
ラベル連続体４は、帯状の台紙上に複数枚のラベル片を仮着した構成である。ラベル片は、いわゆるサーマルラベルであって、その表面に感熱発色層を塗工して、印字可能としてある。
【００２５】
印字部４は、プリンターハウジング２（印字ユニット５）側に取り付けたサーマルヘッド１７（印字ヘッド）と、開閉カバー３の一端に位置するカバー軸１６とは反対側端部に回転可能に取り付けた上記プラテンローラー６と、プラテンローラー６を回転駆動する駆動モーター１８と、を有する。
サーマルヘッド１７は、制御基板１４からの印字データを受けてラベル連続体８に印字する。
プラテンローラー６は、そのプラテンローラー軸１９を中心に回転可能に取り付けてあり、図１に示すようにプリンターハウジング２に対して開閉カバー３が閉鎖された状態で、プラテンローラー６が対向するサーマルヘッド１７との間にラベル連続体８を挟持して移送する。
【００２６】
図３は、携帯式プリンター１の開閉カバー３をプリンターハウジング２に対して開放した状態の平面図、図４は、携帯式プリンター１の開閉カバー３をプリンターハウジング２に対して開放した状態の斜視図である。ただし図４においては、開放用押しボタン１３を取り除いた状態で図示している。
とくに図２に示すように、印字ユニット５は、ユニット本体２０上に、印字部４のサーマルヘッド１７と、カバーロック２１と、駆動モーター１８からの駆動ギア２２（図２には、そのギア列最終段の連結ギアを描いている）と、を設けている。
【００２７】
プラテンローラー６は、プラテンローラー軸１９の一方の端部（図２中、右端部）に、プラテンローラー６を回転駆動するためのプラテンローラーギア２３を設けている。
プラテンローラー６が対向するプリンターハウジング２に設けた駆動ギア２１との係合によりプラテンローラーギア２３を回転駆動可能である。すなわち、開閉カバー３のプリンターハウジング２への閉鎖により、プラテンローラーギア２３と駆動ギア２１とを係合させて、駆動モーター１８によりプラテンローラー６を回転駆動可能としている。
サーマルヘッド１７およびプラテンローラー６の間にラベル連続体４を挟持して、駆動モーター１８によりプラテンローラー６を回転駆動するとともに、制御基板１４からサーマルヘッド１７に供給した印字データに応じてサーマルヘッド１７の発熱素子１７Ａ（図４）を発熱させ、ラベル連続体４（ラベル片）にサーマル印字を行う。
さらに、プラテンローラー軸１９の両端部には、プラテンローラー６をサーマルヘッド１７に対して押圧するように開閉カバー３を係脱可能にロックするための左右一対のロックピン２４を設ける。すなわち、プラテンローラー６が対向するプリンターハウジング２におけるカバーロック２１の左右一対のプラテンローラーロック係合部２５がこの左右一対のロックピン２４に係脱する。
【００２８】
開放用押しボタン１３をプリンターハウジング２の内方に押し込むように操作することにより、ヘッド付勢スプリング（図示せず）の付勢力に抗して、上記カバーロック２１（プラテンローラーロック係合部２５）とロックピン２４との係合を解除し、ユニット本体２０においてカバーロック２１（サーマルヘッド１７）をプラテンローラー６から離反するように回動させ、開閉カバー３をプリンターハウジング２に対して開放して、サーマルヘッド１７およびプラテンローラー６の間にラベル連続体４を挿通装填可能とする。
【００２９】
充電バッテリー７は、バッテリーカバー２６を開けてプリンターハウジング２（第１のハウジング２Ａ）内にこれを収脱可能であって、上述の印字部４（サーマルヘッド１７および駆動モーター１８など）はもちろん、携帯式プリンター１全体に電力を供給する。
【００３０】
入力部１０は、携帯式プリンター１に必要なデータないしコマンドを入力可能とする。
表示部１１は、入力部１０により入力された情報およびその他必要な情報を表示可能とする。
【００３１】
制御基板１４は、上述の印字部４、充電バッテリー７、入力部１０、表示部１１および電源スイッチ１２との間でデータおよびコマンドの授受を行うとともに、これらを適宜制御する。
【００３２】
さらに、本発明による携帯式プリンター１においては、とくに図１および図４などに示すように、印字部４をその内方部分に配置したプリンターハウジング２における印字部配置領域面２７に隣り合わせて、ゴム材などのエラストマーその他の衝撃吸収性材料によるクッション材２８を配置し、少なくともこれをプリンターハウジング２の隣接するクッション材２８から相対的に凹ませることにより、落下などによる衝撃に対する耐性を確保している。
各図において、クッション材２８には点を描き加えてあり、プリンターハウジング２のそれぞれの領域面におけるクッション材２８を他の部品から識別可能としている。
【００３３】
また、印字部４を作動させるための入力部１０および表示部１１を配置したプリンターハウジング２における入力部表示部配置領域面２９に隣り合わせて同じくクッション材２８を配置し、この入力部表示部配置領域面２９を、印字部配置領域面２７とともに、プリンターハウジング２の隣接するクッション材２８から相対的に凹ませている。
図示の例では、クッション材２８は、これを印字部配置領域面２７の左右両側、および入力部表示部配置領域面２９の左右両側に配置している。
すなわち、クッション材２８は、少なくともこれをプリンターハウジング２の左右両側に配置して、その間に印字部配置領域面２７および入力部表示部配置領域面２９を凹ませた状態で設けている。
【００３４】
なお、とくに図１に示すように、入力部表示部配置領域面２９は、携帯式プリンター１の上方側（ベルト掛け部１５を配置している側）に向かって印字部配置領域面２７に対して、背面側にこれをやや傾斜して設けることにより、携帯式プリンター１を使用する使用者が入力部表示部配置領域面２９における入力部１０、表示部１１および電源スイッチ１２を上方から見やすくしている。
【００３５】
さらに、印字部配置領域面２７および入力部表示部配置領域面２９をプリンターハウジング２のそれぞれ隣接する隣接領域面（印字部隣接領域面、入力部表示部隣接領域面、ともに図示せず）から相対的に凹ませた上で、当該隣接領域面にクッション材２８を配置することにより、印字部配置領域面２７および入力部表示部配置領域面２９をこれらの隣接領域面からさらに凹ませる構成を採用することもできる。
【００３６】
図５は、携帯式プリンター１を上方部から見たその平面図、図６は、携帯式プリンター１の側面図、図７は、携帯式プリンター１の背面図、図８は、携帯式プリンター１を下方部から見たその底面図であって、プリンターハウジング２は、ほぼ直方体形状を呈しており、少なくともひとつの稜縁部にクッション材２８を配置することにより、その稜縁部ないしその内部を外部からの衝撃に対して保護可能である。
図示の例では、プリンターハウジング２のそれぞれの稜縁部にクッション材２８を配置しており、携帯式プリンターがどのような姿勢で落下あるいは衝突したとしても、いずれかの稜縁部におけるクッション材２８により衝撃を吸収可能として、携帯式プリンター１全体としての耐衝撃性を確保している。
【００３７】
とくにプリンターハウジング２の表面側に位置している、印字部４、入力部１０、表示部１１、電源スイッチ１２および開放用押しボタン１３などを配置している領域面（印字部配置領域面２７、入力部表示部配置領域面２９）および開閉カバー３をプリンターハウジング２の他の領域面（図示の例では、プリンターハウジング２の稜縁部）から凹ませるように、当該稜縁部にクッション材２８を設けている。
また、直方体形状のプリンターハウジング２における他の稜縁部にも同様に、クッション材２８を設けて携帯式プリンター１全体の耐衝撃性を確保している。なお、とくに図１および図６に示すように、バッテリーカバー２６がプリンターハウジング２の稜縁部にかかる領域面にもクッション材２８を配置している。
【００３８】
さらに、とくに図４および図５に示すように、印字部配置領域面２７に隣り合わせているクッション材２８は、印字部配置領域面２７との間の境界部から上方空間方向に延びる印字部衝撃吸収突出部３０を有する。印字部衝撃吸収突出部３０は、印字部配置領域面２７から高さＨ分（図５）だけ上方空間方向に延びており、他の部分のクッション材２８より衝撃を吸収しやすくしているとともに、印字部配置領域面２７の内部に位置する印字部４、さらには表面側の開閉用押しボタン１３およびその内部機構をより確実に保護可能としている。
また、入力部表示部配置領域面２９に隣り合わせているクッション材２８は、入力部表示部配置領域面２９との間の境界部から上方空間方向に延びる入力部表示部衝撃吸収突出部３１を有する。入力部表示部衝撃吸収突出部３１も、印字部衝撃吸収突出部３０と同様に、入力部表示部配置領域面２９から高さＨ分だけ上方空間方向に延びており、他の部分のクッション材２８より衝撃を吸収しやすくしているとともに、入力部表示部衝撃吸収突出部３１に位置する入力部１０、表示部１１さらには電源スイッチ１２をより確実に保護可能としている。
【００３９】
なお、印字部配置領域面２７に隣り合わせているクッション材２８に高さＨの印字部衝撃吸収突出部３０を形成するとともに、入力部表示部配置領域面２９に隣り合わせているクッション材２８に高さＨの入力部表示部衝撃吸収突出部３１を形成していることにより、必要最小限のクッション性は確保しつつ、それぞれの稜縁部に設ける必要があるクッション材２８自体の容量を減量して、その分だけ携帯式プリンター１全体としての重量を軽減化可能である。
【００４０】
ただし、当該クッション材２８は、ある稜縁部に連続してこれを設ける必要はなく、たとえば、図１に示すように、ベルト掛け部１５を設けた稜縁部には、その隅部のみにクッション材２８を設けている。
また、同じく図１に示すように、入力部表示部配置領域面２９の上方部分がかかる稜縁部にもその中間領域にはクッション材２８を設けてはいないが、その隅部に位置する部分には、クッション材２８とくに入力部表示部衝撃吸収突出部３１を形成してあり、耐衝撃性を向上させている。
さらに、とくに図８に示すように、開閉カバー３の軸着部（カバー軸１６に装着されている部分）が位置する稜縁部にもクッション材２８がないが、後述するように、開閉カバー３は、印字部配置領域面２７よりこれを相対的に凹ませており、すなわち、クッション材２８よりはさらに相対的に凹んだ位置に配置されており、外部からの衝撃からの保護を確実にしている。
【００４１】
また、とくに図４および図８に示すように、プリンターハウジング２の底面におけるクッション材２８には、所定の高さで複数本のクッションリブ２８Ａを設けるとともに、とくに図７に示すように、プリンターハウジング２の背面におけるクッション材２８にも所定の高さで複数本のクッションリブ２８Ａを設けることにより、とくに落下などにより衝撃を受けやすいプリンターハウジングの底面部および背面底部を保護可能としている。
【００４２】
また、とくに図１、図５および図６に示すように、プリンターハウジング２の上面から背面にかけての稜縁部におけるクッション材２８は、その背面部を平坦に形成した直角支持クッション部２８Ｂとして形成し、プリンターハウジング２の背面を下にして携帯式プリンター１を卓上に載置して使用する際に、入力部１０への押圧操作にあたって携帯式プリンター１の体勢の安定性を確保可能としている。
さらに、とくに図７に示すように、プリンターハウジング２の背面上部には、直角支持クッション部２８Ｂの近傍にわずかな高さで滑止めクッション部２８Ｃを形成し、同じく、携帯式プリンター１を卓上に載置して使用する際に、携帯式プリンター１が不用意に滑らないようにして、全体の安定性を確保可能としている。
【００４３】
なお、開閉カバー３は、印字部配置領域面２７に対して、図１中その下方側に隣接しているとともに、プリンターハウジング２に対してカバー軸１６のまわりに回動可能に設けられていて、他の部品とは異なり、ネジ止めなどにより固定されていないため、外部からの衝撃に対してずれが生じやすい。
そこで、開閉カバー３は、印字部配置領域面２７よりこれを相対的に凹ませるとともに、開閉カバー３の両側に隣り合わせて配置しているクッション材２８よりはさらに相対的に凹ませることにより、外部からの衝撃をより受けにくくしている。
【００４４】
要するに、開閉カバー３が位置するプリンターハウジング２の表面側において、一番突出量が大きい部分は、印字部配置領域面２７との間の境界部から上方空間方向に延びるクッション材２８による印字部衝撃吸収突出部３０、さらに入力部表示部配置領域面２９との間の境界部から上方空間方向に延びるクッション材２８による入力部表示部衝撃吸収突出部３１であって、つぎに、クッション材２８、印字部配置領域面２７および入力部表示部配置領域面２９であり、開閉カバー３が一番凹んだ領域に位置している。
【００４５】
なお、既述の印字部配置領域面２７および入力部表示部配置領域面２９の場合と同様に、開閉カバー３が隣接する隣接領域面（カバー隣接領域面）からこれを相対的に凹ませるとともに、このカバー隣接領域面にクッション材を配置することにより、開閉カバー３をその隣接領域面からさらに凹ませる構成を採用することもできる。
【００４６】
さらに開閉カバー３の表面には、そのカバー軸１６に直交する方向に複数本の補強用リブ３２を突出形成して、開閉カバー３の機械的強度を高めている。
【００４７】
かくして、携帯式プリンター１の使用上、とくに重要な印字部４、入力部１０、表示部１１、電源スイッチ１２、開放用押しボタン１３および開閉カバー３、さらには制御基板１４などの各種部品を保護可能であるとともに、外部からの衝撃を受けた各領域面あるいは稜縁部におけるクッション材２８は、これを容易に交換可能である。
すなわち、衝撃を受けた部品と、衝撃を受けなかった部品との識別が可能となって、交換すべき部品を明確化することができる。
【００４８】
つぎに、ほぼ直方体形状を呈しているプリンターハウジング２には、たとえば、図１、図３および図４などに示すように、プリンターハウジング２のそれぞれの隅部（計、八ヶ所）を曲面形状に形成することにより、外力ないし落下などによるこれら隅部における応力集中を回避して、衝撃に対する機械的強度ないし耐性を確保している。
したがって、とくに図３に示すように、プリンターハウジング２の下方部における左右一対の隅部の内方側（隅部を角形とした場合よりプリンターハウジング２の内方側）に開閉カバー３のカバー軸１６を設けることになる。
すなわち、開閉カバー３のカバー軸１６の長さＬ１は、上記角形隅部にカバー軸１６を設ける場合よりも短くなるが、プラテンローラー６のプラテンローラー軸１９については、その長さＬ２をカバー軸１６の長さＬ１より長く形成している（Ｌ１＜Ｌ２）。
【００４９】
とくに図２ないし図４に示すように、入力部１０、表示部１１、電源スイッチ１２および開放用押しボタン１３を設けているプリンターハウジング２（第１のハウジング２Ａ）の表面側において、第１のハウジング２Ａおよびその上層側のクッション材２８の開放用押しボタン１３の左右方向における左右両端部を切り欠くことにより連結用空間部３３を形成し、この連結用空間部３３にカバーロック２１のプラテンローラーロック係合部２５、および駆動ギア２２を臨ませることができる。
【００５０】
また、開閉カバー３の上部左右端には押込み片３４を形成し、開閉カバー３のプリンターハウジング２への閉鎖にともなって、この押込み片３４が連結用空間部３３を閉鎖可能とするとともに、連結用空間部３３に臨んでいるプラテンローラーロック係合部２５にはプラテンローラー６のロックピン２４が係合し、駆動ギア２２にはプラテンローラー６のプラテンローラーギア２３が係合可能となる。
【００５１】
したがって、この連結用空間部３３に開閉カバー３の開閉ロックのための機構（カバーロック２１のプラテンローラーロック係合部２５およびプラテンローラー６のロックピン２４）、ならびにプラテンローラー６の駆動力伝達のための機構（駆動モーター１８からの駆動ギア２２およびプラテンローラー６のプラテンローラーギア２３）を配置することが可能となり、携帯式プリンター１の構成を簡略化し、その軽量小型化を実現することができる。
【符号の説明】
【００５２】
１  携帯式プリンター（実施例、図１）
２  プリンターハウジング
２Ａ  プリンターハウジング２の第１のハウジング（図２）
２Ｂ  プリンターハウジング２の第２のハウジング
３  開閉カバー
４  印字部
５  印字ユニット
６  プラテンローラー
７  充電バッテリー
８  ラベル連続体（印字用紙）
９  供給部
１０  入力部
１１  表示部
１２  電源スイッチ
１３  開放用押しボタン
１４  制御基板
１５  ベルト掛け部
１６  開閉カバー３のカバー軸
１７  サーマルヘッド（印字ヘッド）
１７Ａ  サーマルヘッド１７の発熱素子
１８  駆動モーター
１９  プラテンローラー６のプラテンローラー軸
２０  ユニット本体
２１  カバーロック
２２  駆動ギア
２３  プラテンローラー６のプラテンローラーギア
２４  プラテンローラー６のロックピン
２５  カバーロック２１のプラテンローラーロック係合部
２６  バッテリーカバー
２７  印字部配置領域面
２８  クッション材
２８Ａ  クッション材２８による複数本のクッションリブ（図７、図８）
２８Ｂ  クッション材２８による直角支持クッション部（図１、図６）
２８Ｃ  クッション材２８による滑止めクッション部（図７）
２９  入力部表示部配置領域面
３０  印字部衝撃吸収突出部（図１、図５）
３１  入力部表示部衝撃吸収突出部（図１、図５）
３２  補強用リブ
３３  連結用空間部
３４  押込み片
Ｈ    印字部衝撃吸収突出部３０が印字部配置領域面２７から上方空間方向に延びている高さ（入力部表示部衝撃吸収突出部３１が入力部表示部配置領域面２９から上方空間方向に延びている高さ）（図５）
Ｌ１  開閉カバー３のカバー軸１６の長さ
Ｌ２  プラテンローラー６のプラテンローラー軸１９の長さ（Ｌ１＜Ｌ２）
【図１】
2014188704.tif 000003
【図２】
2014188704.tif 000004
【図３】
2014188704.tif 000005
【図４】
2014188704.tif 000006
【図５】
2014188704.tif 000007
【図６】
2014188704.tif 000008
【図７】
2014188704.tif 000009
【図８】
2014188704.tif 000010